(57)【要約】  手術装置は、手術コンソールと、ヘッドセットと、ヘッドセットインターフェースとを含む。手術コンソールは、音声確認装置を作動する。ヘッドセットインターフェースは、ヘッドセットと手術コンソールとの間に通信回線を提供する。
2011509152.tif 000002
【特許請求の範囲】
【請求項１】
音声確認装置を作動する手術コンソールと、
ヘッドセットと、
ヘッドセットと手術コンソールとの間に通信回線を提供する、ヘッドセットインターフェースと
を具備する手術装置。
【請求項２】
ヘッドセットがさらに、少なくとも１つのスピーカーを具備する、
請求項１に記載の装置。
【請求項３】
ヘッドセットがさらに、マイクロフォンを具備する、
請求項２に記載の装置。
【請求項４】
手術コンソールがさらに、音声起動装置を作動する、
請求項１に記載の装置。
【請求項５】
ヘッドセットをヘッドセットインターフェースに接続する、導電体をさらに具備する
請求項１に記載の装置。
【請求項６】
通信回線が無線プロトコルによって使用可能である、
請求項１に記載の装置。
【請求項７】
ヘッドセットがさらに、ヘッドセットインターフェースからの信号を受信するための受信機を具備する、
請求項２に記載の装置。
【請求項８】
ヘッドセットがさらに、ヘッドセットインターフェースと通信するための送受信機を具備する、
請求項３に記載の装置。
【請求項９】
ヘッドセットインターフェースがさらに、ヘッドセットに信号を送信するための送信機を具備する、
請求項７に記載の装置。
【請求項１０】
ヘッドセットインターフェースがさらに、ヘッドセットと通信するための送受信機を具備する、
請求項８に記載の装置。
【発明の詳細な説明】
【技術分野】
【０００１】
この発明は、手術コンソール及びヘッドセットを備える装置、より具体的には眼科の手術コンソールと共に使用するためのヘッドセットに関する。
【背景技術】
【０００２】
解剖学上、目は、二つの別個の部分、前部及び後部に分けられる。前部は、角膜（角膜上皮）の最外層から、水晶体嚢の後部へ拡がる。後部は、水晶体嚢の後方の目の部分を含む。後部は、前方のガラス質の面から、ガラス体の後方のガラス質の面が直接に接触する網膜へ拡がる。眼科手術は、眼への入り口を得るために切り口を作ることを含む。様々な手術法は、一般的に眼の前部及び後部で行われる。前部において、白内障手術は最も一般的である。
【０００３】
眼の普通の水晶体は、水晶体皮質を包み込む外側の水晶体嚢で構成される。人間の眼は、角膜と呼ばれる透明な外側の部分を通して光を伝達すると共に、透明な水晶体を経由して画像を網膜上にフォーカスすることによって、視覚をもたらし機能するので、フォーカスされる画像の質は、水晶体の透明度を含む多数の要素に依存する。高齢又は疾患が水晶体の透明度を低下させるとき、網膜へ伝達され得る減弱した明るさのために、視覚が悪化する。目の水晶体の欠陥は、白内障として医療的に既知である。この状況のために認められた処置は、人工水晶体（ＩＯＬ）によって水晶体皮質の除去及び交換を含む白内障手術である。
【０００４】
アメリカ合衆国において、水晶体超音波乳化吸引術と呼ばれる手術法によって、白内障水晶体の大半は、取り除かれる。この手術の間中、数ミリメートルのサイズの切り口が、角膜又は強膜に作られる。切り口を通って、薄い水晶体超音波乳化吸引術のカッティングチップは、疾患を持った水晶体へ挿入され、超音波振動をさせられる。疾患を持った水晶体が眼の外に吸引されるようにするために、振動するカッティングチップは、水晶体皮質物質を液化又は乳化する。疾患を持った水晶体物質は、一旦取り除かれると、ＩＯＬに交換される。
【０００５】
ＩＯＬは、疾患を持った水晶体の細胞物質を取り除くために使用される眼の小さな切り口を通して眼の中へ注入される。ＩＯＬは、切り口を拡大することを避けるために折り畳まれた状態でＩＯＬ注入器に入れられる。ＩＯＬ注入器のチップは、切り口の中へ挿入され、ＩＯＬは、水晶体嚢の中へ届けられる。
【発明の概要】
【発明が解決しようとする課題】
【０００６】
一般的な白内障手術は、２０分よりも短いので、手術は、患者が部分麻酔をかけられている間に、行われ得る。患者自身は覚醒しており、手術の間中に意識がはっきりとしている。ほとんどの患者は、白内障手術について当然に心配を感じる。手術の間中に覚醒していることは、この不安をしばしば高める。白内障手術のための手術コンソールの音声起動又は音声確認の出現で、執刀医及び手術コンソールは、命令及び返答を声に出し得る。いくらかの執刀医及び手術コンソールの命令及び返答は、患者を狼狽させ、又はさらなる不安を引き起こすおそれがある。さらに、白内障手術は、世界中で行われるので、手術はいくらか騒々しい環境で行われる。途上国の診療所は、しばしば騒々しい。これらの懸念に対応する音声起動及び音声確認を有する手術コンソールと共に、使用されることのできる装置を有することは望ましいであろう。
【課題を解決するための手段】
【０００７】
この発明の原理と一致する一実施形態において、この発明は、手術コンソールと、ヘッドセットと、ヘッドセットインターフェースとを含む手術装置にある。手術コンソールは、音声確認装置を作動する。ヘッドセットインターフェースは、ヘッドセットと、手術コンソールとの間に通信回線を提供する。
【０００８】
当然のことながら、前述の一般的な記述と、以下の詳細な記述との両方は、例示的かつ説明的にすぎず、特許請求の範囲に記載されたこの発明のさらなる説明を提供することを目的としている。この発明の実施と同様に以下の記述は、付加的な利点及びこの発明の目的を説明すると共に提案する。
【図面の簡単な説明】
【０００９】
【図１】この発明の一実施形態によるヘッドセット及び手術コンソール装置の図。
【図２】この発明の一実施形態によるヘッドセット及び手術コンソール装置の図。
【発明を実施するための形態】
【００１０】
この明細書に組み込まれると共にこの明細書の一部を構成する添付の図は、この記述と一緒にこの発明のいくつかの実施形態を説明し、この発明の原理を説明するのに役立つ。
【００１１】
この発明の例示的な実施形態が以下に詳細に参照され、本発明の実施例は、添付の図に示される。可能な限り、同一の参照番号は、複数の図を通して同一又は類似の部品を指して使用される。
【００１２】
図１は、この発明の原理によるヘッドセット及び手術コンソール装置の図である。図１において、装置は、ヘッドセットインターフェース１１０を有する手術コンソール１０５と、ヘッドセット１５０とを含む。手術コンソール１０５は、患者が覚醒しながら手術を行うために一般的に使用される、任意のコンソールである。例えば、手術コンソール１０５は、白内障手術のために特別に設計された、白内障手術コンソールであってもよい。
【００１３】
ヘッドセットインターフェース１１０は、手術コンソール１０５と、ヘッドセット１５０との間のインターフェースを提供する。ヘッドセットインターフェース１１０は、手術コンソール１０５の部品として示される一方で、手術コンソール１０５から分離されてもよい。ヘッドセットインターフェース１０５は、ヘッドセット１５０に信号を送信することと、ヘッドセット１０５から信号を受信することとの両方又は一方に適合された電気回路を一般的に含む。ヘッドセットインターフェース１１０、それ自体は、受信機又は送受信機であり得る。複数の実施形態において、ヘッドセットインターフェース１１０は、導電体などの有線接続を通して信号の送信及び受信の両方又は一方をするために設計される。他の実施形態において、ヘッドセットインターフェース１１０は、無線接続を通して信号を送信及び受信の両方又は一方をするために設計される。そのような無線接続の例は、ブルートゥース（Ｂｌｕｅｔｏｏｔｈ（登録商標））、Ｗｉ−ｆｉ（商標）、ファイヤーワイヤー（Ｆｉｒｅｗｉｒｅ(商標)）、様々な８０２．１１プロトコルなどを含むが、それらには限定されない。他の無線接続は、一般的な移動通信、又は他の無線プロトコルを含んでもよい。
【００１４】
図１の実施形態において、ヘッドセット１５０は、一般的な有線又は無線のヘッドセットである。有線の場合、ヘッドセット１５０は、有線接続を通してヘッドセットインターフェース１１０と通信する。無線の場合、ヘッドセット１５０は、無線接続を通してヘッドセットインターフェース１１０と通信する。ヘッドセット１５０、それ自体は、ヘッドセットインターフェース１１０と通信するための送受信機、又は他の類似する装置を有する。ヘッドセット１５０は、音声確認の用語又はトーンのような音を再生する１つ又は２つのスピーカーを有してもよい。ヘッドセット１５０は、患者ではなく執刀医のみがそのような音を聞くことができるように、執刀医によって装着されることができる。加えて、騒がしい環境において、ヘッドセット１５０を装着する執刀医は、音声確認の命令をより簡単に聴取することができる。したがって、ヘッドセット１５０は、患者からこれらのコンソールの返答を隠す一方で、コンソール１０５から最適な音声フィードバックを執刀医に提供する。このことは、執刀医が返答をより良好に聴取することを可能にするだけでなく、患者がそれらを聴取することから防ぐことも可能にし、したがって、手術室の不慣れな環境において患者のストレスを軽減する。
【００１５】
ヘッドセット１５０は、任意の適切なやり方で構成されてもよい。例えば、ヘッドセット１５０は、（携帯音楽装置のための小型イヤホンに似た）執刀医の耳に付ける単一かつ小型のスピーカーを有してもよい。（携帯電話のためのブルートゥースヘッドセットに似た）執刀医の耳の外側に快適に装着されることのできる大型のスピーカーもまた、用いられてもよい。
【００１６】
図２は、この発明の原理によるヘッドセット及び手術コンソール装置の図である。図２の実施形態において、ヘッドセット１５０は、マイクロフォン２１０を含む。マイクロフォン２１０は、執刀医がヘッドセットインターフェース１１０を通して手術コンソール１０５に音声命令を送信することを可能にする。騒々しい環境において、執刀医の頭部のごく近傍にマイクロフォンを設けることは、より良好な音声聴取を可能にする。一般的な音声起動装置において、マイクロフォン及びスピーカーは、執刀医から数フィート離れて設けられてもよい、手術コンソールに設置される。執刀医の近傍にマイクロフォン２１０及びヘッドセット１５０を設けることは、より良好な装置の性能を提供する。全ての他の点において、図２の装置は、図１の装置と同一である。
【００１７】
図２のヘッドセット１５０及びマイクロフォン２１０は、任意の適切な構成をなすことができる。例えば、ヘッドセット１５０は、（携帯電話のためのブルートゥースヘッドセットに似た）マイクロフォン２１０を備えるスリムな外形の装置が組み込まれた単一のスピーカーを有してもよい。
【００１８】
上記から、当然のことながら、この発明は、改善された手術装置を提供する。手術の間中に経験する患者のストレスを低減する一方で、ヘッドセットインターフェースを備える手術コンソールを有効にし、執刀医の使用のためのヘッドセットを設けることは、音声起動及び音声確認のより良好な作用を提供する。この発明は、実施例によりここに説明され、様々な変更が当業者によって加えられてもよい。
【００１９】
この発明の他の実施形態は、この中に開示されたこの発明の記載及び実施の検討から当業者には明らかであろう。この明細書及び実施例は、例示にすぎず、この発明の真の範囲及び精神は以下の特許請求の範囲によって示されることが意図される。
【図１】
2011509152.tif 000003
【図２】
2011509152.tif 000004
【国際調査報告】
2011509152.tif 000005